Podtech/llm-jp-corpus-v4-ja_patent huggingface dataset:
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
ジャンプ元のページのページ識別子を入手するステップと；
前記ページ識別子と、サービスを提供するように構成されたジャンプページと、の間のマッピング関係を含むジャンプルートであって、前記入手したページ識別子に基づいて対応するジャンプルートを求めて、ページルーティングテーブルを検索するステップと；
前記識別されたジャンプルートに基づいて、前記ジャンプページへジャンプするステップと；
前記入手したページ識別子と、新しいサービスを提供するように構成された最新のジャンプページと、の間のマッピング関係を含む最新のジャンプルートであって、前記入手したページ識別子に基づく最新のジャンプルートを届けるようにサーバをトリガするために用いられる第１のクエリ要求を、前記サーバへ定期的に送信するステップと；
前記サーバから届けられた前記最新のジャンプルートを受信するステップと；
前記受信した最新のジャンプルートに基づいて前記ページルーティングテーブルを更新するステップと；を備える、
ページジャンプ方法。
【請求項２】
前記サービスは前記新しいサービスと異なり；及び／又は、
前記ジャンプページは前記最新のジャンプページとは異なる；
請求項１に記載のページジャンプ方法。
【請求項３】
前記識別されたジャンプルートに基づいて前記ジャンプページへジャンプする前記ステップは：
前記識別されたジャンプルートに基づいて、前記ページ識別子に対応したジャンプページを入手するステップと；
前記ジャンプページのページデータを読み出すステップと；
前記ジャンプページにジャンプし、前記読み出したページデータを前記ジャンプページにロードして、ジャンプを完了するステップと；を備える、
請求項１に記載のページジャンプ方法。
【請求項４】
前記ジャンプページのページデータを読み出す前記ステップは：
ローカルのページデータベースが前記ジャンプページの前記ページデータをオフラインで記憶しているかどうかを判定するステップと；
前記ページデータベースが前記ジャンプページの前記ページデータをオフラインで記憶している場合に、前記ページデータベースから前記ジャンプページの前記ページデータを読み出すステップと；
前記ページデータベースが前記ジャンプページの前記ページデータを記憶していない場合に、サーバから前記ジャンプページの前記ページデータを要求するステップと；を備える、
請求項３に記載のページジャンプ方法。
【請求項５】
前記サーバによって前記最新のジャンプルートを届けるステップは、暗号化方式で前記最新のジャンプルートを送信するステップを備える、
請求項１に記載のページジャンプ方法。
【請求項６】
前記最新のジャンプルートを届ける前に、前記最新のジャンプルートを暗号化するステップと前記最新のジャンプルートを記憶するステップとをさらに備える、
請求項１に記載のページジャンプ方法。
【請求項７】
前記ジャンプ元のページのページ識別子は、前記入手したページ識別子に基づいて対応のジャンプルートについてページルーティングテーブルを検索するための検索ロジックを備える所定のジャンプロジックに含まれている、
請求項１に記載のページジャンプ方法。
【請求項８】
前記ジャンプロジックを実行するステップは、
前記ジャンプ元のページのページ識別子を読み出し、
前記対応のジャンプルートについて前記ページルーティングテーブルを検索し、
前記対応のジャンプルートに基づいて前記ページジャンプを完了する、
請求項７に記載のページジャンプ方法。
【請求項９】
前記最新のジャンプページは、前記新しいサービスを提供するように構成されたＨＴＭＬ５ページを含む、
請求項１乃至請求項８のいずれか１項に記載のページジャンプ方法。
【請求項１０】
前記ジャンプページは、前記サービスを提供するように構成されたネイティブページを含む、
請求項１乃至請求項９のいずれか１項に記載のページジャンプ方法。
【請求項１１】
前記サービス及び前記新しいサービスはアプリケーションによって提供されており、前記ネイティブページは前記アプリケーションのローカルコードに基づいて独立して実行可能である、
請求項１０に記載のページジャンプ方法。
【請求項１２】
予め受信されたジャンプページが前のサービスを提供するように構成され、前記ページ識別子と前のジャンプページとの間のマッピング関係を含む予め受信されたジャンプルートを回復するステップと；
前記新しいサービスを前記前のサービスに置き換えるために前記予め受信されたジャンプルートに基づいて前記前のジャンプページへジャンプするステップと；を備え、
ネイティブページが前記前のサービスを提供するように構成されていてもよい、
請求項１乃至請求項１１のいずれか１項に記載のページジャンプ方法。
【請求項１３】
ルーチンサービスの回復をトリガするように構成されたトリガメッセージを受信するステップと；
前記ページ識別子と、前記ルーチンサービスを提供するように構成されたデフォルトのジャンプページと、の間のマッピング関係を含むデフォルトのジャンプルートを回復するステップと；
前記新しいサービスを前記ルーチンサービスに置き換えるために前記デフォルトのジャンプルートに基づいて前記デフォルトのジャンプページへジャンプするステップと；を備え、
ネイティブページが前記ルーチンサービスを提供するように構成されていてもよい、
請求項１乃至請求項１２のいずれか１項に記載のページジャンプ方法。
【請求項１４】
請求項１乃至請求項１３のいずれか１項に記載のページジャンプ方法を実行するように構成された複数のモジュールを備える、
ページジャンプ装置。
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
必要とする対象における固形悪性腫瘍を治療するための医薬組成物であって、Ｅ３ＬΔ８３Ｎ−ＴＫ-−ｈＦｌｔ３Ｌ、Ｅ３ＬΔ８３Ｎ−ＴＫ-、およびＥ３ＬΔ８３Ｎ−ＴＫ-−ＧＭ−ＣＳＦウイルスならびにウイルス構築物（各々が複製性または不活化形態である）の１つ以上を含む、医薬組成物。
【請求項２】
Ｅ３ＬΔ８３Ｎ−ＴＫ-−ｈＦｌｔ３Ｌ、Ｅ３ＬΔ８３Ｎ−ＴＫ-、およびＥ３ＬΔ８３Ｎ−ＴＫ-−ＧＭ−ＣＳＦウイルスならびにウイルス構築物の２つ以上を含む、請求項１に記載の医薬組成物。
【請求項３】
複製性および／または不活化形態であるＥ３ＬΔ８３Ｎ−ＴＫ-−ｈＦｌｔ３Ｌウイルスを含む、請求項１に記載の医薬組成物。
【請求項４】
腫瘍細胞への送達用の、請求項１から３のいずれか１項に記載の医薬組成物。
【請求項５】
腫瘍内、静脈内、腹腔内、頭蓋内、または局所注射と全身性注射との組合せで投与される、請求項１から４のいずれか１項に記載の医薬組成物。
【請求項６】
前記腫瘍が、原発性もしくは転移性の、悪性の黒色腫、または乳癌、または結腸癌である、請求項１から５のいずれか１項に記載の医薬組成物。
【請求項７】
前記ウイルスが熱不活化されている、請求項１から６のいずれか１項に記載の医薬組成物。
【請求項８】
以下の１つ以上：前記腫瘍のサイズの低減、前記腫瘍の根絶、前記腫瘍の増殖の阻害、および、前記腫瘍の転移または転移性増殖の阻害、
を達成するのに効果的である量で投与され、前記腫瘍が、送達部位に位置する腫瘍、および／または、送達部位に位置する腫瘍と前記対象の体内の別の部位との両方に位置する腫瘍を含む、請求項１から７のいずれか１項に記載の医薬組成物。
【請求項９】
前記対象において、前記対象の腫瘍細胞への局所送達の際に、前記腫瘍、およびそれらの任意の転移に対する免疫応答を引き起こすのに効果的な量で投与される、請求項１から８のいずれか１項に記載の医薬組成物。
【請求項１０】
前記免疫応答が、以下：
・腫瘍細胞の腫瘍溶解および腫瘍抗原の放出、
・前記腫瘍内および／または腫瘍流入領域リンパ節における細胞傷害性ＣＤ８＋Ｔ細胞の増加、
・Ｉ型ＩＦＮの誘導を通じての、前記腫瘍に浸潤するか患者の生体内の遠隔箇所を循環する樹状細胞の成熟の誘導、
・前記対象における、前記腫瘍内および／または腫瘍流入領域リンパ節の腫瘍細胞を認識するエフェクターＣＤ４＋Ｔ細胞の誘導、
・前記対象の注射されていない腫瘍におけるＣＤ１０３＋樹状細胞の増加、
の１つ以上を含む、請求項９に記載の医薬組成物。
【請求項１１】
外科手術、化学療法、標的療法および放射線照射を含む他の治療法を組み合わせて使用される、請求項１から１０のいずれか１項に記載の医薬組成物。
【請求項１２】
免疫チェックポイント遮断剤をさらに含む、請求項１から１１のいずれか１項に記載の医薬組成物。
【請求項１３】
前記免疫チェックポイント遮断剤が、ＣＴＬＡ−４、ＣＤ８０、ＣＤ８６、ＰＤ−１、ＰＤＬ１、ＰＤＬ２、ＬＡＧ３、Ｂ７−Ｈ３、Ｂ７−Ｈ４、ＴＩＭ３、ＩＣＯＳ、ＩＩ  ＤＬＢＣＬ阻害剤、ＢＴＬＡ、およびそれらの任意の組み合わせを含む、請求項１２に記載の医薬組成物。
【請求項１４】
前記免疫チェックポイント遮断剤が、イピリムマブ、ニボルマブ、ペンブロリズマブ、ピディリズマブ、ＡＭＰ−２２４、ＭＰＤＬ３２８０Ａ、ＢＭＳ−９３６５５９、ＭＥＤＩ４７３６、ＭＳＢ００１０７１８０、またはそれらの任意の組み合わせを含む、請求項１２に記載の医薬組成物。
【請求項１５】
複製性および／または不活化形態であるＥ３ＬΔ８３Ｎ−ＴＫ-−ｈＦｌｔ３Ｌウイルス。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
対象における悪性固形腫瘍の治療用の組成物であって、
（ｉ）ヒトＦｍｓ様チロシンキナーゼ３リガンド（ｈＦｌｔ３Ｌ）を保持するＭＶＡ（ＭＶＡ−ｈＦｌｔ３Ｌ）、
（ｉｉ）ｈＦｌｔ３Ｌを保持するＭＶＡΔＥ３Ｌ（ＭＶＡΔＥ３Ｌ−ｈＦｔｌ３Ｌ）、および、
（ｉｉｉ）それらの組合せ、
からなる群より選択される組換え改変ワクシニアＡｎｋａｒａ（ＭＶＡ）ウイルスを含む前記組成物。
【請求項２】
腫瘍に対する免疫応答の対象における誘導、または腫瘍に対して進行中の免疫応答の対象における増強もしくは促進、腫瘍のサイズの低減、腫瘍の根絶、腫瘍の増殖の阻害、腫瘍の転移の阻害、および転移性腫瘍の低減もしくは根絶、のための請求項１記載の組成物。
【請求項３】
免疫応答の誘導、増強、または促進が、以下の１つ以上を含む、請求項２に記載の組成物：
ＣＤ８+細胞傷害性Ｔ細胞の増殖および活性化、
ＣＤ４+エフェクターＴ細胞の増殖および活性化、
ＣＤ８+／ＴｒｅｇおよびＴｃｏｎｖ／Ｔｒｅｇの比率の増加、
注射された腫瘍および遠隔腫瘍におけるＣＤ４５+細胞とＣＤ８+Ｔ細胞の動員、
注射された腫瘍および遠隔腫瘍における腫瘍関連マクロファージ（ＴＡＭ）の低減、
Ｌｙ６ＣhiＣＤ１１ｂ+炎症性単球とＬｙ６ＣhiＣＤ１１ｂ-骨髄細胞の注射された腫瘍および遠隔腫瘍への流入、
注射された腫瘍および遠隔腫瘍における、I型ＩＦＮおよび炎症誘発性サイトカインの産生を介した交差提示ＣＤ１０３+樹状細胞の活性化および移動、ならびに
異種腫瘍に対する抗腫瘍ＣＤ８+Ｔ細胞および交差防御の生成。
【請求項４】
組換えＭＶＡが、腫瘍抗原をコードまたは発現する核酸を保持していない、請求項１に記載の組成物。
【請求項５】
１つ以上の薬学的に許容可能な賦形剤をさらに含む、請求項１または２に記載の組成物。
【請求項６】
組換えＭＶＡがＭＶＡΔＥ３Ｌ−ｈＦｌｔ３Ｌを含む、請求項１から５に記載の組成物。
【請求項７】
第２の量の、ヒトＦｌｔ３Ｌをコードおよび発現する、チミジンキナーゼの欠失を伴う複製可能である組換え弱毒化ワクシニアウイルスをさらに含み、ここで前記第２の量が、誘導または増大または促進された免疫応答を増強するのに寄与する、
および／または
第３の量の不活化ＭＶＡをさらに含み、ここで前記第３の量は、誘導または増大または促進された免疫応答を増強するのに寄与する、
請求項１から６のいずれか１項に記載の組成物。
【請求項８】
組換えＭＶＡが、腫瘍内注射もしくは静脈内注射、または、腫瘍内注射と静脈内注射の同時もしくは連続的組み合わせによって送達される、請求項１から７のいずれか１項に記載の組成物。
【請求項９】
腫瘍が黒色腫または結腸癌である、請求項１から８のいずれか１項に記載の組成物。
【請求項１０】
組換えＭＶＡを、恩恵が持続する限り、または最大許容用量に達している限り、数週間、数カ月間、もしくは数年間、または無期限に継続して送達するための、請求項１〜９のいずれか１項に記載の組成物。
【請求項１１】
組換えＭＶＡを、約１０6〜１０10プラーク形成単位（ｐｆｕ）の範囲内の投与当たりの投与量で送達する、
および／または
組換えＭＶＡを全ての腫瘍細胞に感染するのに十分な量で送達する、
および／または、
組換えＭＶＡを月に１回から週に２回の範囲内の頻度で繰り返し送達する、
ための、請求項１から１０のいずれか１項に記載の組成物。
【請求項１２】
腫瘍内の免疫抑制性メカニズムを遮断するのに有効な免疫チェックポイント遮断剤または免疫チェックポイントアゴニストを更に含む、請求項１から１１のいずれか１項記載の組成物。
【請求項１３】
免疫チェックポイント遮断剤が、ＰＤ−１阻害剤、ＰＤ−Ｌ１阻害剤、ＣＴＬＡ４阻害剤、ＬＡＧ−３（リンパ球活性化遺伝子３）、ＴＩＭ３（Ｔ細胞免疫グロブリンおよびムチン−３）、Ｂ７−Ｈ３、およびＴＩＧＩＴ（ＩｇとＩＴＩＭドメインをもつＴ細胞免疫受容体）に対する阻害抗体、ＣＤ８０、ＣＤ８６、ＰＤＬ２、Ｂ７−Ｈ４、ＩＩおよびＤＬＢＣＬ阻害剤、ＢＴＬＡ、またはそれらの組み合わせからなる群より選択され、前記免疫チェックポイントアゴニストが、抗ＩＣＯＳ抗体、抗ＯＸ４０抗体、４−ＩＢＢ（ＣＤ１３７）に対するアゴニスト抗体、およびＧＩＴＲに対するアゴニスト抗体からなる群より選択される、
または、
免疫チェックポイント遮断剤が、ＣＴＬＡ−４、ＣＤ８０、ＣＤ８６、ＰＤ−１、ＰＤＬ１、ＰＤＬ２、ＬＡＧ３、Ｂ７−Ｈ３、Ｂ７−Ｈ４、ＴＩＭ３、ＩＣＯＳ、ＩＩ  ＤＬＢＣＬ阻害剤、ＢＴＬＡ、またはそれらの任意の組み合わせを含む、
または、
免疫チェックポイント遮断剤が、イピリムマブ、ニボルマブ、ペンブロリズマブ、ピディリズマブ、ＡＭＰ−２２４、ＭＰＤＬ３２８０Ａ、ＢＭＳ−９３６５５９、ＭＥＤＩ４７３６、ＭＳＢ００１０７１８０、またはそれらの任意の組み合わせを含む、
請求項１２記載の組成物。
【請求項１４】
１）請求項１から１３のいずれか１項に記載の組成物を含む第１の構成要素と、
２）それぞれ第２および第３の量の、ＧＭ−ＣＳＦまたはヒトＦｌｔ３Ｌをコードおよび発現する、チミジンキナーゼの欠失を伴う複製可能な組換え弱毒化ワクシニアウイルス、および不活化ＭＶＡの１つまたは両方を含む第２の構成要素であって、前記第２の量もしくは第３の量または第２および第３の量の両方が、対象において誘導または増大または促進された免疫応答を増強するのに寄与する前記第２の構成要素、
とを含むキット。
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
第１の結合ドメインを介してターゲット細胞表面抗原に結合しかつ第２の結合ドメインを介してＴ細胞表面抗原ＣＤ３に結合する二重特異性単鎖抗体コンストラクトと、β−シクロデキストリンと、バッファーとを含む医薬組成物であって、安定性である、前記医薬組成物。
【請求項２】
前記β−シクロデキストリンが、β−シクロデキストリン、メチル−β−シクロデキストリン、ヒドロキシエチル−β−シクロデキストリン、ヒドロキシプロピル−β−シクロデキストリン、エチル−β−シクロデキストリン、ブチル−β−シクロデキストリン  スクシニル−（２−ヒドロキシプロピル）−β−シクロデキストリン、ヘプタキス（２，３，６−トリ−Ｏ−メチル）−β−シクロデキストリン、ヘプタキス（２，３，６−トリ−Ｏ−ベンゾイル）−β−シクロデキストリン、β−シクロデキストリンリン酸ナトリウム塩、β−シクロデキストリン硫酸ナトリウム塩、トリアセチル−β−シクロデキストリン、ヘプタキス（６−Ｏ−スルホ）−β−シクロデキストリンヘプタナトリウム塩、カルボキシメチル−β−シクロデキストリンナトリウム塩、スルホブチルエーテル−β−シクロデキストリンナトリウム塩、６−Ｏ−ｐ−トルエンスルホニル−β−シクロデキストリンからなる群から選択される、請求項１に記載の組成物。
【請求項３】
前記β−シクロデキストリンが、０．１％〜２０％（ｗ／ｖ）、好ましくは０．５％〜２％（ｗ／ｖ）、より好ましくは０．８％〜１．５％（ｗ／ｖ）の範囲の濃度で存在する、請求項１または２に記載の組成物。
【請求項４】
前記β−シクロデキストリンが、スルホブチルエーテル−β−シクロデキストリンナトリウム塩、ヒドロキシプロピル−β−シクロデキストリンからなる群から選択される、請求項１〜３のいずれか１項に記載の組成物。
【請求項５】
前記二重特異性単鎖抗体コンストラクトが、０．１〜５ｍｇ／ｍｌ、好ましくは０．２〜２．５ｍｇ／ｍｌ、より好ましくは０．２５〜１．０ｍｇ／ｍｌの濃度範囲で存在する、請求項１〜４のいずれか１項に記載の組成物。
【請求項６】
前記バッファーが、リン酸カリウム、酢酸／酢酸ナトリウム、クエン酸／クエン酸ナトリウム、コハク酸／コハク酸ナトリウム、酒石酸／酒石酸ナトリウム、ヒスチジン／ヒスチジンＨＣｌ、グリシン、トリス、グルタメート、アセテート、及びこれらの混合物からなる群から選択される、請求項１〜５のいずれか１項に記載の組成物。
【請求項７】
前記バッファーが、リン酸カリウム、クエン酸／クエン酸ナトリウム、コハク酸、ヒスチジン、グルタメート、アセテート、及びこれらの混合物からなる群から選択される、請求項６に記載の組成物。
【請求項８】
前記組成物のｐＨが４〜７．５の範囲にある、請求項１〜７のいずれか１項に記載の組成物。
【請求項９】
スクロース、トレハロース、マンニトール、ソルビトール、アルギニン、リジン、ポリソルベート２０、ポリソルベート８０、ポロキサマー１８８、プルロニック、及びこれらの組合せからなる群から選択される１種類以上の賦形剤をさらに含む、請求項１〜８のいずれか１項に記載の組成物。
【請求項１０】
１種類以上の保存剤を含む、請求項１〜９のいずれか１項に記載の組成物。
【請求項１１】
前記１種類以上の保存剤が、ベンジルアルコール、クロロブタノール、フェノール、メタ−クレゾール、メチルパラベン、フェノキシエタノール、プロピルパラベン、及びチオメロサール（ｔｈｉｏｍｅｒｏｓａｌ）からなる群から選択される、請求項１０に記載の組成物。
【請求項１２】
前記二重特異性単鎖抗体コンストラクトの前記第１の結合ドメインが、ＣＤ１９、ＣＤ３３、ＭＳＬＮ、ＦＬＴ３、またはＢＣＭＡに結合する、請求項１〜１０のいずれか１項に記載の組成物。
【請求項１３】
前記二重特異性単鎖コンストラクトの前記第１の結合ドメインのアミノ酸配列が、ＳＥＱ  ＩＤ  ＮＯ：９９、１０９、１１９、１２８、１３７、１４６、１５５、１６４、１７３、１８３、１８５、及び１８７からなる群から選択され、かつ前記二重特異性単鎖コンストラクトの前記第２の結合ドメインのアミノ酸配列が、ＳＥＱ  ＩＤ  ＮＯ：９、１８、２７、３６、４５、５４、６３、７２、８１、１７９、及び９０からなる群から選択される、請求項１２に記載の組成物。
【請求項１４】
前記組成物が保存剤を含まず、前記二重特異性単鎖抗体コンストラクトのアミノ酸配列がＳＥＱ  ＩＤ  ＮＯ：１００または１１０でありかつ前記コンストラクトが約０．５ｍｇ／ｍｌの濃度で存在し、前記シクロデキストリンが、約１％（ｗ／ｖ）の濃度のスルホブチルエーテル−β−シクロデキストリンナトリウム塩であり、前記バッファーが約１０ｍＭの濃度のリン酸カリウムであり、かつ前記組成物が、ｐＨ  約６．０の約８％（ｗ／ｖ）の濃度のスクロース及び約０．０１％（ｗ／ｖ）の濃度のポリソルベート８０をさらに含む、請求項１〜９のいずれか１項に記載の組成物。
【請求項１５】
前記二重特異性単鎖抗体コンストラクトの前記第１の結合ドメインのアミノ酸配列がＳＥＱ  ＩＤ  ＮＯ：１７４である、請求項１２に記載の組成物。
【請求項１６】
前記シクロデキストリンが、約１％（ｗ／ｖ）の濃度のスルホブチルエーテル−β−シクロデキストリンナトリウム塩であり、前記バッファーが約１０ｍＭの濃度のリン酸カリウムであり、前記組成物が、約２％の濃度のマンニトール、約２％（ｗ／ｖ）の濃度のスクロース、及び約０．０１％（ｗ／ｖ）の濃度のポリソルベート８０を約６．０のｐＨでさらに含む、請求項１２に記載の組成物。
【手続補正書】
【提出日】令和1年8月21日(2019.8.21)
【手続補正１】
【補正対象書類名】明細書
【補正対象項目名】００２２
【補正方法】変更
【補正の内容】
【００２２】
前記プラットフォーム３は、スロベニア特許公開SI 24358 Aに開示されている実施例と同様に、スキーのフロントパーツ１及びリアパーツ２に面するその底面３３に、中心に位置するキャビティ３５が設けられている。該キャビティ３５内で、二つの対向する凹部３５１及び３５２が利用可能であり、これらは、二つの拘束突起部５１１及び５１２と協働するようにされている。前記拘束突起部の一方は、スキーのフロントパーツ１に配置され、他方は、スキーのリアパーツ２で利用可能である。フロントパーツ１及びリアパーツ２が整列されると、前記プラットフォーム３は、適切な角度で、軸線５０１を中心に回転され、前記突起部５１１及び５１２は、プラットフォーム３の前記キャビティ３５の中に入り得る。プラットフォーム３がスキーの両パーツ１及び２と整列する位置に、垂直軸線５０１を中心に、前記プラットフォームを回転させると、前記拘束突起が、プラットフォーム３における前記キャビティ３５内にある前記凹部３５１及び３５２の中に位置することになり（図１参照）、その結果、プラットフォーム３は、しっかりと、しかし、取り外し可能に、スキーのフロントパーツ１及びリアパーツ２の両方と相互に連結される。
【手続補正２】
【補正対象書類名】明細書
【補正対象項目名】００２６
【補正方法】変更
【補正の内容】
【００２６】
さらにまた、第三拘束突起部６３は、スキーのリアパーツ２の頂面において利用可能であり、それを中心にスキーの前記フロントパーツ１及び前記リアパーツ２が回転され得る幾何学軸線１００から適切な距離離して配置されている。前記拘束突起６３には、円周の一部分の形態の溝６３０が設けられており、これ溝６３０は、少なくとも、プラットフォーム３の後部領域３２の突起部３２０と協働するようにされている。
【手続補正３】
【補正対象書類名】明細書
【補正対象項目名】００３０
【補正方法】変更
【補正の内容】
【００３０】
スキーの使用中、プラットフォーム３の前部領域にある突起部３１０は、第一保持突起の溝６１０の中に位置し、同時に、プラットフォーム３の後部領域にある突起部３２０は、第三保持突起の溝６３０の中に位置し、そこで、好ましくは、拘束機構６３１によって拘束され、それにより、一方では、スキーの両パーツ１及び２が、しっかり相互連結し、他方では、プラットフォームの各回転が妨げられる。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
圧縮送達構成と、心臓内の展開のための拡張展開構成とを有する、弁プロテーゼであって、
内部に人工弁構成部品を保持するための管状部分であって、第１の端部及び第２の端部を有する、管状部分と、
前記弁プロテーゼが前記拡張構成にあるときに、前記管状部分の前記第１の端部から半径方向に延在する流入部分と、
第１の長さを有する、前記管状部分の前記第２の端部から延在する主支持アームと、
前記管状部分の前記第２の端部から延在する補助支持アームの第１の組であって、前記補助支持アームの第１の組の各々が、第２の長さを有する、補助支持アームの第１の組と、
前記管状部分の前記第２の端部から延在する補助支持アームの第２の組であって、前記補助支持アームの第２の組の各々が、前記第２の長さ未満である第３の長さを有する、補助支持アームの第２の組と、を有するフレームを備え、
前記主支持アームの前記第１の長さが、前記補助支持アームの第１及び第２の組の前記補助支持アームのそれぞれ前記第２及び第３の長さよりも長い、弁プロテーゼ。
【請求項２】
前記主支持アーム、前記補助支持アームの第１の組、及び前記補助支持アームの第２の組が、前記フレームの前記管状部分の前記第２の端部の円周の周囲で離間している、請求項１に記載の弁プロテーゼ。
【請求項３】
前記補助支持アームの第２の組のうちの少なくとも１つが、前記主支持アームと正反対になるように位置付けられている、請求項２に記載の弁プロテーゼ。
【請求項４】
前記補助支持アームの第１の組のうちの１つが、前記主支持アームの各側に円周方向に位置付けられている、請求項３に記載の弁プロテーゼ。
【請求項５】
前記拡張構成において、前記主支持アーム、前記補助支持アームの第１の組、及び前記補助支持アームの第２の組が、前記フレームの前記管状部分の前記第１の端部に向かって屈曲する、請求項１に記載の弁プロテーゼ。
【請求項６】
前記拡張構成において、前記補助支持アームの第１及び第２の組の前記補助支持アームの各端部分が、前記フレームの前記管状部分に対して実質的に同じ長手方向の位置又は高さで配置される、請求項５に記載の弁プロテーゼ。
【請求項７】
前記拡張構成において、前記補助支持アームの第１及び第２の組の前記補助支持アームの各端部分が、それらの間に前記心臓の組織を挟むために前記流入部分と接触する、請求項６に記載の弁プロテーゼ。
【請求項８】
前記拡張構成において、
第１の角度が、前記主支持アームと前記フレームの前記管状部分との間に画定され、
第２の角度が、前記補助支持アームの第１の組の各補助支持アームと前記フレームの前記管状部分との間に画定され、
第３の角度が、前記補助支持アームの第２の組の各補助支持アームと前記フレームの前記管状部分との間に画定され、
前記第１、第２、及び第３の角度が等しくない、請求項５に記載の弁プロテーゼ。
【請求項９】
前記第１の角度が前記第２の角度よりも大きく、前記第２の角度が前記第３の角度よりも大きい、請求項８に記載の弁プロテーゼ。
【請求項１０】
前記フレームの前記管状部分内に固定された人工弁と、
前記管状部分、前記流入部分、及び少なくとも前記主支持アームの端部分、並びに前記補助支持アームの第１及び第２の組の前記補助支持アームの各々の端部分の部分のうちの１つ以上を被覆するために、前記フレームに固定された密封材料と、を更に備える、請求項１に記載の弁プロテーゼ。
【請求項１１】
前記弁プロテーゼが前記拡張構成にあるときに、前記補助支持アームの第１及び第２の組の前記補助支持アームの各々の湾曲部分間で被覆及び延在するために、前記フレームの前記第２の端部の外周の一部分の周囲に配置された、緩衝ストリップを更に備える、請求項１０に記載の弁プロテーゼ。
【請求項１２】
圧縮送達構成と、心臓内の展開のための拡張展開構成とを有する、弁プロテーゼであって、
第１の端部及び第２の端部を有する弁支持体と、
前記弁プロテーゼが前記拡張構成にあるときに、前記弁支持体の前記第１の端部から半径方向に延在する流入部分と、
前記弁支持体の前記第２の端部から延在する主支持アームと、
前記弁支持体の前記第２の端部から延在する複数の長い補助支持アームと、
前記弁支持体の前記第２の端部から延在する複数の短い補助支持アームであって、前記主支持アームが、前記複数の長い補助支持アーム及び短い補助支持アームよりも長い、複数の短い補助支持アームと、を有するフレームを備え、
前記拡張構成において、前記主支持アーム、前記複数の長い補助支持アーム、及び前記複数の短い補助支持アームが、前記弁支持体の前記第１の端部に向かって屈曲し、
前記拡張構成において、前記複数の長い補助支持アームの各々及び前記複数の短い補助支持アームの各々が、実質的に同じ展開高さを有する、弁プロテーゼ。
【請求項１３】
前記拡張構成において、前記長い補助支持アーム及び短い補助支持アームの前記端部分が、展開時にそれらの間に前記心臓の弁輪組織を挟むために前記流入部分と接触する、請求項１２に記載の弁プロテーゼ。
【請求項１４】
前記主支持アーム並びに前記複数の長い補助支持アーム及び短い補助支持アームが、前記弁支持体の前記第２の端部の円周の周囲で離間している、請求項１２に記載の弁プロテーゼ。
【請求項１５】
前記主支持アーム及び前記複数の長い補助支持アームが、前記弁プロテーゼが心臓内で前記拡張構成にあるときに、天然僧帽弁の前尖と係合するために前記第２の端部の前記円周の周囲に配置され、前記複数の短い補助支持アームが、前記弁プロテーゼが心臓内で前記拡張構成にあるときに、天然僧帽弁の後尖と係合するために前記第２の端部の前記円周の周囲に配置される、請求項１４に記載の弁プロテーゼ。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
自動車用芳香器であって、
１２Ｖ電源ソケット内に収容されるように構成されたハウジングと、
前記ハウジング内に収容されて前記１２Ｖ電源ソケットから電力を受け取るように構成された電気システムであって、前記電気システムは、加熱器と前記加熱器に選択的に電力を供給するスイッチとを含む電気システムと、
オン位置とオフ位置との間で移動可能な調節アセンブリであって、前記調節アセンブリは、カートリッジを保持するように構成されたカートリッジホルダを含み、電力が加熱器に供給されるように、オン位置にあるときに、前記スイッチを作動させるように構成された調節アセンブリと、
前記調節アセンブリがオフ位置にあるときに、前記カートリッジへの空気流を抑制するように構成されたリッドシールを含むリッドと、
を含む自動車用芳香器。
【請求項２】
前記調節アセンブリは、前記オン位置と前記オフ位置との間で回転可能である、請求項１に記載の自動車用芳香器。
【請求項３】
前記リッドは、前記調節アセンブリが前記オン位置に配置されたときに、周囲雰囲気と前記カートリッジとの間に空気流を提供するためのリッド通気口を含む、請求項１に記載の自動車用芳香器。
【請求項４】
前記調節アセンブリが前記オフ位置に配置されたとき、前記電気システムが前記１２Ｖ電源ソケットから電力を受け取っているときでも、前記スイッチは、前記加熱器に電力が供給されるのを抑制する、請求項１に記載の自動車用芳香器。
【請求項５】
前記調節アセンブリがオフ位置にあるとき、前記電気システムが前記１２Ｖ電源ソケットから電力を受け取っているときでも、前記リッドシールは、前記カートリッジからの揮発性放出を抑制する、請求項１に記載の自動車用芳香器。
【請求項６】
熱源と相互作用するように構成された揮発性物質のための調節アセンブリであって、
前記調節アセンブリは、
ユーザによって把持され、最大出力位置、中間出力位置、及びオフ位置の間で作動可能な調節リングと、
カートリッジと、
前記カートリッジを保持するように構成されたカートリッジホルダであって、前記カートリッジは、前記調節リングに結合してカムプロファイルに沿って前記調節リングと共に移動可能であり、前記最大出力位置に配置されたときに、前記熱源と前記カートリッジとの間の最大熱交換率が達成され、前記オフ位置に配置されたときに、前記熱源と前記カートリッジとの間の最小熱交換率が達成され、前記中間出力位置に配置されたときに、前記最大熱交換率と前記最小熱交換率との間の中間熱交換率が達成されるカートリッジホルダと、
を含む調節アセンブリ。
【請求項７】
前記カートリッジは、半透膜と活性成分で満たされた容器とを含む、請求項６に記載の調節アセンブリ。
【請求項８】
前記調節リングは、前記最大出力位置、前記中間出力位置、及び前記オフ位置の間で回転可能である、請求項６に記載の調節アセンブリ。
【請求項９】
前記カートリッジは、前記中間出力位置よりも前記最大出力位置において前記熱源により近く位置し、前記カートリッジは、前記オフ位置よりも前記中間出力位置において前記熱源により近く位置する、請求項６に記載の調節アセンブリ。
【請求項１０】
前記オフ位置において前記カートリッジへの空気流が抑制される、請求項６に記載の調節アセンブリ。
【請求項１１】
前記調節アセンブリは、前記熱源への電力の流れを制御する、請求項６に記載の調節アセンブリ。
【請求項１２】
揮発性物質ディスペンサであって、
ハウジングと、
半透膜と活性成分で満たされた容器とを含むカートリッジと、
前記ハウジング内に収容され、加熱器を含む電気アセンブリと、
前記ハウジングに結合し、カートリッジを支持するように構成された調節アセンブリであって、最大出力位置、中間出力位置、及びオフ位置の間で移動可能な調節アセンブリと、
を含む揮発性物質ディスペンサ。
【請求項１３】
前記電気アセンブリは、前記加熱器に選択的な電力を提供するように構成されたスイッチを含み、前記調節アセンブリは、前記調節アセンブリがオフ位置にないときに、前記加熱器に電力が提供されるように前記スイッチを作動させる、請求項１２に記載の揮発性物質ディスペンサ。
【請求項１４】
前記調節アセンブリは、前記カートリッジからの活性成分の放出率を変化させ、前記加熱器をオフにする、請求項１２に記載の揮発性物質ディスペンサ。
【請求項１５】
前記調節アセンブリは、前記カートリッジを支持するように構成されたカートリッジホルダをさらに含み、前記最大出力位置、前記中間出力位置、及び前記オフ位置の間で螺旋形カムプロファイルに沿って移動するように前記ハウジングと相互作用する、請求項１２に記載の揮発性物質ディスペンサ。
【請求項１６】
前記カートリッジホルダは、突出部を含み、
前記ハウジングは、カムプロファイルを画定し、
前記突出部は、前記カムプロファイル内に収容される、請求項１５に記載の揮発性物質ディスペンサ。
【請求項１７】
前記カートリッジホルダは、前記調節アセンブリが前記最大出力位置に配置されたときに、前記加熱器に前記カートリッジが近づくように構成され、前記調節アセンブリが前記中間出力位置に配置されたときに、前記加熱器から前記カートリッジがさらに遠ざかるように構成された、請求項１５に記載の揮発性物質ディスペンサ。
【請求項１８】
前記調節アセンブリは、前記カートリッジと前記揮発性物質ディスペンサの外部雰囲気との間に提供される流路の相対的なサイズ、及び前記加熱器と前記カートリッジとの間に提供される加熱器空間を同期化させる、請求項１２に記載の揮発性物質ディスペンサ。
【請求項１９】
前記調節アセンブリは、前記最大出力位置、前記中間出力位置、及び前記オフ位置の間で作動可能であり、結果として前記カートリッジホルダが前記加熱器に対して移動する調節リングを含む、請求項１２に記載の揮発性物質ディスペンサ。
【請求項２０】
開位置と閉位置との間で移動可能であり、前記カートリッジを前記ハウジング内に選択的に収容し、前記カートリッジへの空気流を選択的に抑制するように構成されたリッドシールを含むリッドをさらに含む、請求項１２に記載の揮発性物質ディスペンサ。
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
レギュレータ係合領域（２４）を含む面体（１２）と、
レギュレータ（１４）と、
を備える呼吸マスク（１０）であって、
前記レギュレータ係合領域（２４）は、
アパーチャ（１６）と、
前記アパーチャ（１６）の近傍の突出部（２８）と、
を有し、
前記レギュレータ（１４）は、
前記レギュレータ係合領域（２４）に対合可能に係合可能な面体係合領域（４８）を有するレギュレータ本体（４０）と、
前記レギュレータ本体内の流体流路と、
前記レギュレータ本体（４０）内にあり、作動されると前記流体流路の遮断を引き起こすラッチ（３４）と、
を含み、
前記レギュレータ（１４）の少なくとも一部分は、前記ラッチ（３４）が前記突出部（２８）に係合することができるように前記面体アパーチャ（１６）に受け入れられるように寸法設定及び構成され、前記レギュレータ（１４）は、前記面体アパーチャ（１６）内で第１の回転位置と第２の回転位置との間で回転可能であり、それによって、前記面体アパーチャ（１６）内で前記レギュレータ（１４）が前記第２の回転位置から前記第１の回転位置まで回転すると、前記突出部（２８）が前記ラッチ（２４）に係合すると共に前記ラッチ（３４）が作動して前記流体流路が遮断される、
呼吸マスク（１０）。
【請求項２】
前記面体（１２）は、内面（２０）と、前記内面（２０）とは反対側を向いた外面（２２）とを更に含み、前記突出部（２８）は、前記面体外面（２２）からある距離にわたり延びている、請求項１に記載の呼吸マスク（１０）。
【請求項３】
前記突出部（２８）は、前記突出部（２８）が前記面体外面（２２）から最大距離に延びているところに頂部（３２）を含む、請求項２に記載の呼吸マスク（１０）。
【請求項４】
前記突出部（２８）は、前記第１の回転位置と前記第２の回転位置との間の第３の回転位置に位置し、ラッチ起動領域（３１）を含み、前記レギュレータ（１４）が前記第１の回転位置と前記第２の回転位置との間で回転させられると、前記ラッチ（３４）は、前記ラッチ起動領域（３１）に係合しそれに接触することで作動される、請求項２に記載の呼吸マスク（１０）。
【請求項５】
前記第３の回転位置は、前記第１の回転位置から実質的に４５°のところにある、請求項４に記載の呼吸マスク（１０）。
【請求項６】
前記レギュレータ（１４）は、ダイヤフラム弁（７０）を有するダイヤフラム（６８）を更に含み、前記ダイヤフラム弁（７０）は、前記レギュレータ本体（４０）内で直線的に移動可能である、請求項４に記載の呼吸マスク（１０）。
【請求項７】
前記面体（１２）は、前記マスク（１０）の内部（４６）を画定し、前記マスク（１０）の前記内部（４６）から前記ダイヤフラム（６８）に真空が加えられると、前記ダイヤフラム弁（７０）が前記面体（１２）の方に向かって直線的に移動し、前記流体流路が開放される、請求項６に記載の呼吸マスク（１０）。
【請求項８】
前記レギュレータ（１４）は、第１の端部（７４）と、前記第１の端部（７４）とは反対にある第２の端部（７６）と、を有するレバー（６６）を更に含み、前記第１の端部（７４）は、前記レギュレータ本体（４０）に旋回可能に結合されており、前記第２の端部（７６）は、前記ダイヤフラム弁（７０）に結合されている、請求項７に記載の呼吸マスク（１０）。
【請求項９】
前記ラッチ（３４）は、前記レギュレータ本体（４０）内で直線的に移動可能である、請求項８に記載の呼吸マスク（１０）。
【請求項１０】
前記ラッチ（３４）は、第１の端部（５４）と、前記第１の端部（５４）とは反対にある第２の端部（５６）と、を有し、前記第１の端部（５４）が前記ラッチ起動領域（３１）に接触すると、前記第２の端部（５６）は、前記レバー（６６）に接触し、前記レバー（６６）に対して力を及ぼす、請求項９に記載の呼吸マスク（１０）。
【請求項１１】
前記ラッチ（３４）は、前記第１の端部（５４）に突出係合要素（６２）を更に有し、前記面体係合領域（４８）はアパーチャ（６３）を含み、前記突出係合要素（６２）は前記アパーチャ（６３）を通って延びている、請求項１０に記載の呼吸マスク（１０）。
【請求項１２】
前記レギュレータ本体（４０）は、近位端（４２）と、前記近位端（４２）とは反対にある遠位端（４４）と、を更に有し、前記面体係合領域（４８）は前記近位端（４２）にある、請求項１に記載の呼吸マスク（１０）。
【請求項１３】
呼吸マスク（１０）のためのレギュレータ（１４）であって、
面体係合領域（４８）を含むレギュレータ本体（４０）と、
前記レギュレータ本体（４０）内の流体流路と、
前記レギュレータ本体（４０）内で移動可能であり、突出係合要素（６２）を有する第１の端部（５４）と、前記第１の端部（５４）とは反対にある第２の端部（５６）と、を含むラッチ（３４）であって、前記突出係合要素（６２）の少なくとも一部分は前記面体係合領域（４８）から突出している、ラッチ（３４）と、
ダイヤフラム弁（７０）を有するダイヤフラム（６８）であって、前記ダイヤフラム弁（７０）は、前記ダイヤフラム弁（７０）が第１の位置にあるとき前記流体流路が遮断され、前記ダイヤフラム弁（７０）が第２の位置にあるとき前記流体流路が開放されるように、前記レギュレータ本体（４０）内で直線的に移動可能である、ダイヤフラム（６８）と、
前記レギュレータ本体（４０）内にあり、前記レギュレータ本体（４０）に旋回可能に結合された第１の端部（７４）と、前記ダイヤフラム弁（７０）に結合された第２の端部（７６）と、を含むレバー（６６）であって、前記ラッチの第２の端部（５６）は、前記レバー（６６）と係合して、前記ダイヤフラム弁（７０）を前記第２の位置から前記第１の位置に動かすように前記レバー（６６）を作動させる、レバー（６６）と
を備える、呼吸マスク（１０）のためのレギュレータ（１４）。
【請求項１４】
前記ラッチ（３４）は、第１の軸に沿って直線的に移動可能であり、前記ダイヤフラム弁（７０）は、第２の軸に沿って直線的に移動可能である、請求項１３に記載のレギュレータ（１４）。
【請求項１５】
呼吸マスク（１０）のための面体（１２）であって、
第１の面（２０）と、
前記第１の面（２０）とは反対を向いた第２の面（２２）と、
前記第１の面（２０）から前記第２の面（２２）まで延びているアパーチャ（１６）と、
前記面体の第２の面（２２）上の前記アパーチャ（１６）の近傍に突出部（２８）を含むレギュレータ係合領域（２４）であって、前記突出部（２８）は、前記面体の第２の面（２２）に対して相対的な高さのラッチ起動領域（３１）を有する、レギュレータ係合領域（２４）と、
を備える、呼吸マスク（１０）のための面体（１２）。
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
外側シェルと、
前記外側シェル内に配置される内側容器であって、導電性コイルがその中に配置される内側容器と、
前記外側シェル内に配置される第１の冷却段、及び、前記外側シェル内に配置される第２の冷却段であって、前記内側容器内の内部空間に接触する第２の冷却段を有するコールドヘッドと、
前記内側容器の内部から前記外側シェルの外部まで延在し、第１の熱交換器及び第２の熱交換器と関連付けられる通気口と、
前記内側容器と前記外側シェルとの間に配置され、前記コールドヘッドの前記第１の冷却段に熱的に接続され、更に前記第１の熱交換器に熱的に接続され、前記内側容器及び前記外側シェルから熱的に分離される第１の熱遮断体であって、前記第１の熱遮断体と前記外側シェルとの間に、第１の真空空間が画定される、第１の熱遮断体と、
前記内側容器と前記第１の熱遮断体との間に配置され、前記第２の熱交換器に熱的に接続され、前記内側容器、前記外側シェル、前記第１の熱遮断体及び前記コールドヘッドから熱的に分離される第２の熱遮断体であって、前記第１の熱遮断体と前記第２の熱遮断体との間に第２の真空空間が画定され、前記第２の熱遮断体と前記内側容器との間に第３の真空空間が画定される、第２の熱遮断体と、
前記内側容器、前記外側シェル、前記第１の熱遮断体及び前記第２の熱遮断体を互いに取り付ける複数の熱分離支持要素と、
を含む、装置。
【請求項２】
前記内側容器、前記第２の熱遮断体及び前記外側シェルを互いに物理的に接続する少なくとも１つの第１の熱分離支持要素と、
前記第１の熱遮断体及び前記第２の熱遮断体を互いに物理的に接続する少なくとも１つの第２の熱分離支持要素と、
を更に含む、請求項１に記載の装置。
【請求項３】
前記第１の熱遮断体及び前記第２の熱遮断体は共に、前記少なくとも１つの第１の熱分離支持要素に熱的に取り付けられる、請求項２に記載の装置。
【請求項４】
前記内側容器、前記第１の熱遮断体及び前記外側シェルを互いに物理的に接続する少なくとも１つの第１の熱分離支持要素と、
前記第１の熱遮断体及び前記第２の熱遮断体を互いに物理的に接続する少なくとも１つの第２の熱分離支持要素と、
を更に含む、請求項１に記載の装置。
【請求項５】
前記第１の熱遮断体及び前記第２の熱遮断体は共に、前記少なくとも１つの第１の熱分離支持要素に熱的に取り付けられる、請求項４に記載の装置。
【請求項６】
前記内側容器、前記第１の熱遮断体及び前記外側シェルを互いに物理的に接続する少なくとも１つの第１の熱分離支持要素と、
前記第１の熱遮断体及び前記内側容器を互いに物理的に接続する少なくとも１つの第２の熱分離支持要素と、
を更に含む、請求項１に記載の装置。
【請求項７】
前記第１の熱遮断体及び前記第２の熱遮断体は共に、前記少なくとも１つの第１の熱分離支持要素に熱的に取り付けられる、請求項６に記載の装置。
【請求項８】
前記内側容器及び前記第２の熱遮断体を互いに物理的に接続する少なくとも１つの第１の熱分離支持要素と、
前記第１の熱遮断体及び前記第２の熱遮断体を互いに物理的に接続する少なくとも１つの第２の熱分離支持要素と、
前記第２の熱遮断体及び前記外側シェルを互いに物理的に接続する少なくとも１つの第３の熱分離支持要素と、
を更に含む、請求項１に記載の装置。
【請求項９】
前記内側容器及び前記第１の熱遮断体を互いに物理的に接続する少なくとも１つの第１の熱分離支持要素と、
前記第１の熱遮断体及び前記第２の熱遮断体を互いに物理的に接続する少なくとも１つの第２の熱分離支持要素と、
前記第１の熱遮断体及び前記外側シェルを互いに物理的に接続する少なくとも１つの第３の熱分離支持要素と、
を更に含む、請求項１に記載の装置。
【請求項１０】
前記内側容器及び前記第１の熱遮断体を互いに物理的に接続する少なくとも１つの第１の熱分離支持要素と、
前記第１の熱遮断体及び前記内側容器を互いに物理的に接続する少なくとも１つの第２の熱分離支持要素と、
前記第１の熱遮断体及び前記外側シェルを互いに物理的に接続する少なくとも１つの第３の熱分離支持要素と、
を更に含む、請求項１に記載の装置。
【請求項１１】
前記装置は、
患者を保持する患者台と、
前記導電性コイルを形成し、電流が通ると磁場を生成する超電導コイルと、
前記患者の一部を少なくとも部分的に取り囲む傾斜磁場コイルであって、当該傾斜磁場コイルに対して前記装置が磁気共鳴画像を生成する傾斜磁場コイルと、
前記患者の前記一部に無線周波数信号を印加し、前記磁場のアライメントを変更する無線周波数コイルと、
前記無線周波数信号及び前記患者によって引き起こされる前記磁場の変化を検出するセンサと、
を含み、
前記内側容器は、当該内側容器の中に配置された低温流体を有し、
前記第１の冷却段は、第１の温度までの冷却を提供し、
前記第２の冷却段は、前記低温流体を、前記第１の温度より低い第２の温度まで冷却する、
請求項１乃至１０の何れか一項に記載の装置。
【請求項１２】
前記複数の熱分離支持要素は、ケブラ、ｓガラス／エポキシ、Ｇ−１０、カーボンファイバ／エポキシ及びアルミナから選択されるもので作られる、請求項１１に記載の装置。
【請求項１３】
前記第１の温度は、３５°Ｋ乃至７５°Ｋの範囲内であり、前記第２の温度は、５°Ｋ未満である、請求項１１に記載の装置。
【請求項１４】
前記複数の熱分離支持要素は、少なくとも１つのフレキシブル支持要素を含む、請求項１１に記載の装置。
【請求項１５】
前記コールドヘッドは、前記外側シェルに溶接される、請求項１１に記載の装置。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
ハイヒール靴の内部に挿入される装置であって：
内側及び遠位側と、
着用者の踵骨隆起部の下になるように構成される後方領域であって、前記装置がハイヒールの靴の内部に挿入され、前記ハイヒールの靴が着用されているときに、前記後方領域が整形されて着用者の外側隆起部および内側隆起部のより平坦な表面を収容し、前記後方領域が、ヒール支持面の下方に延びる着用者の踵骨の外側隆起部および内側隆起部をそれぞれ収容するように位置し構成される略楕円体形の第１および第２陥没面エリアを含み、前記第１陥没面エリアが、前記装置の内側に位置し、前記装置の外側に位置する前記第２陥没面エリアよりも２−５倍平面視で大きく、かつ深く、前記後方領域の上面が、着用者の踵骨隆起部の直ぐ前方の着用者の踵骨エリアの下になるように構成される隆起部を有する、前記後方領域と；着用者の中足骨体の少なくとも一部の下になるように構成される前方領域と、を備え、前記前方領域の第２上面は隆起部を有し、前記隆起部は、着用者の第２中足骨体および第３中足骨体の下になるように構成される頂部に向かって徐々に隆起し、
前記第１の細長い略楕円体形の陥没エリアは、前記装置の前後方向に延び、前記装置の内側に向かう方向に傾斜した細長い軸を有し、前記第２の細長い略楕円形の陥没エリアは、前記装置の前後方向に延び、前記装置の側面に向かう方向に傾斜した細長い軸を有する
装置。
【請求項２】
前記第１陥没部は前記第２陥没部よりも約１／３ｍｍ深い請求項１に記載の装置。
【請求項３】
前記第１および第２陥没部のつま先部分は、着用者の踵骨隆起部の前方のエリアの下になるように構成されるクレセント状の先端に向かって徐々に隆起し、好適には、クレセント状の第１および第２先端の頂部は、前記装置の下面よりも２〜８ｍｍ高い請求項１または２に記載の装置。
【請求項４】
前記前方領域の前記隆起部の頂部は、前記装置の下面よりも２〜８ｍｍ高い請求項１乃至３のいずれかに記載の装置。
【請求項５】
前記装置は、２つの別体部材、ヒール部材、および中足骨用部材として形成される請求項１乃至４のいずれかに記載の装置。
【請求項６】
前記前方領域を前記内側に向かって傾ける請求項１乃至５のいずれかに記載の装置。
【請求項７】
前記装置は、左足用靴／右足用靴に特有の装置であり、好適には、左足用靴部材および右足用靴部材は互いに鏡のように左右対称である請求項１乃至６のいずれかに記載の装置。
【請求項８】
ハイヒール靴内に取り付けられる請求項１乃至７のいずれかに記載の装置を有するハイヒール靴。
【請求項９】
前記装置は、前記靴のインソールボードまたは中敷きの内部に取り付けられる、または組み込まれる請求項８に記載のハイヒール靴。
【請求項１０】
ハイヒール靴の履き心地を良くする方法であって、前記靴に請求項１乃至７のいずれかに記載の装置を設ける方法。
【請求項１１】
靴の内部に、好適には前記靴の製作時に挿入される装置であって：
内側及び遠位側と、
着用者の踵骨隆起部の下になるように構成されるヒールカップを備え、前記装置がハイヒールの靴の内部に挿入され、前記ハイヒール靴が擦り切れているときに、前記ヒールカップは整形されて着用者の外側隆起部および内側隆起部のより平坦な表面を収容し、前記ヒールカップは、ヒール支持面の下方に伸びており、着用者の踵骨の外側隆起部および内側隆起部をそれぞれ収容するように位置し構成される略楕円体形の第１および第２陥没面エリアを含み、前記第１陥没部は、前記装置の内側に位置し、前記装置の外側に位置する前記第２陥没部よりも２−５倍平面視で大きく、かつ深く、前記ヒールカップの上面は、着用者の踵骨隆起部の直ぐ前方の着用者の踵骨エリアの下になるように構成される隆起部を有し、
前記第１の細長い略楕円体形の陥没エリアは前記装置の前後方向に延びる細長い軸を有し、前記装置の内側で傾斜しており、前記第２の細長い略楕円形の陥没エリアは前記装置の前後方向に延びる細長い軸を有し、前記装置の側方に傾斜している
装置。
【請求項１２】
前記第１陥没部は前記第２陥没部よりも約１／３ｍｍ深い請求項１１に記載の装置。
【請求項１３】
前記第１および第２陥没部のつま先部分は、着用者の踵骨隆起部の前方のエリアの下になるように構成されるクレセント状の先端に向かって徐々に隆起する請求項１１または１２に記載の装置。